(57)【要約】      （修正有）【課題】小さい装置に組み込まれることを可能にする低姿勢構造の三軸アンテナを提供する。【解決手段】低姿勢三軸アンテナは、前端１３で終わっている４本のアームを備えた十字磁気コア１１を含み、Ｘ軸巻線ＤＸが２本のアームの周囲に巻き付けられ、Ｙ軸巻線ＤＹが２本のアームの周囲に巻き付けられ、Ｚ軸巻線ＤＺがＺ軸の周囲に巻き付けられ、Ｚ軸巻線が電磁コアを取り囲み、少なくとも部分的に前端に面している。２本の隣接するアームとその前端間を走るＺ軸巻線の一部分との間に画定される四分円空間の中に、４つの電磁コア部分１２がそれぞれ少なくとも部分的に配置される。これら十字電磁コアおよび４つの電磁コア部分を組み立てて複合電磁コア１０を構成する。【選択図】図１
2018201199.tif 000002
【特許請求の範囲】
【請求項１】
中心から突出してＸ軸と一直線に並んだ２本のＸ軸アームおよび前記中心から突出してＹ軸と一直線に並んだ２本のＹ軸アームを備え、Ｘ軸およびＹ軸が互いに垂直であり、中心から最も遠く離れているＸ軸アームおよびＹ軸アームの面が前端（１３）である、十字電磁コア（１１）と；
２本のＸ軸アームの周囲に巻き付けられた導電性線のＸ軸巻線（ＤＸ）と；
２本のＹ軸アームの周囲に巻き付けられた導電性線のＹ軸巻線（ＤＹ）と；
Ｘ軸およびＹ軸に対して直角なＺ軸の周囲に巻き付けられた導電性線のＺ軸巻線（ＤＺ）であって、電磁コアを取り囲んで少なくとも部分的に前記前端（１３）に面している前記Ｚ軸巻線（ＤＺ）と；
を含む低姿勢三軸アンテナであって、
Ｘ軸アーム、隣接するＹ軸アームおよびその前端（１３）間を走るＺ軸巻線（ＤＺ）の一部分との間に画定される四分円空間の中に、４つの電磁コア部分（１２）がそれぞれ少なくとも部分的に配置され、十字電磁コア（１１）および４つの電磁コア部分（１２）を組み立てることによって複合電磁コア（１０）が作り出されることを特徴とする低姿勢三軸アンテナ。
【請求項２】
４つの電磁コア部分（１２）がＺ軸の方向において十字電磁コア（１１）の下方に配置される、請求項１記載のアンテナ。
【請求項３】
４つの電磁コア部分（１２）それぞれのＺ軸に対して垂直な上面が十字電磁コア（１１）のＺ軸に対して垂直な下面と同一平面にある、請求項２記載のアンテナ。
【請求項４】
４つの電磁コア部分（１２）のＺ軸と平行な方向の高さが、十字電磁コア（１１）のＺ軸と平行な方向の高さよりも小さいか、あるいは少なくとも５０％小さい、請求項１、２または３記載のアンテナ。
【請求項５】
十字電磁コア（１１）の幾何学的中心がＺ軸巻線（ＤＺ）の幾何学的中心と一致する、請求項１〜４のいずれか１項記載のアンテナ。
【請求項６】
十字電磁コア（１１）が、互いに平行で高分子材料でできている物体によって互いに分離されている強磁性要素であって、強磁性コアの中に平行な磁気トラックを画定する柔軟性のある連続した強磁性要素を含む硬化高分子材料ででできている物体である、請求項１〜５のいずれか１項記載のアンテナ。
【請求項７】
十字電磁コア（１１）が、マイクロファイバー、微粒子もしくはナノ粒子の強磁性材料または純Ｆｅ、Ｆｅ３＋、Ｆｅカルボニル、Ｎｉカルボニル、Ｍｎ  Ｚｎフェライト、Ｍｎ  Ｎｉフェライト、Molypermalloy粉末、Ｆｅ  Ｎｉ、Ｍｏ−Ｆｅ  Ｎｉ、Ｃｏ−ＳｉまたはＦｅ−Ｎｉ  Ｚｎから選択した、Ｎｉ含有量が３０〜８０重量％でＭｏ、ＣｏまたはＳｉから選ばれた追加成分が１０重量％よりも少ない、強磁性材料の形の強磁性要素を含む硬化高分子材料でできている物体である、請求項１〜５のいずれか１項記載のアンテナ。
【請求項８】
電気絶縁支持部（２０）が複合電磁コア（１０）を少なくとも部分的に取り囲み、
前記電気絶縁支持部（２０）がＺ軸巻線（ＤＺ）の少なくとも一部が巻き付けられている巻線トラック（２１）を含み、
Ｚ軸巻線（ＤＺ）に対して十字電磁コア（１１）の位置を決めるために電磁コア支持部（２２）が備えられている、請求項１〜７のいずれか１項記載のアンテナ。
【請求項９】
電気絶縁支持部（２０）によって画定された巻線トラック（２１）が十字電磁コア（１１）の周辺部全体に沿って連続しているか、あるいは十字電磁コア（１１）の周辺部全体に沿って連続していてさらに円形、楕円形、正方形、長方形または八角形から選択された形状を有する、請求項８記載のアンテナ。
【請求項１０】
それぞれがＺ軸に対して垂直なベース（２４）によって、巻線トラック（２３）の背部（２５）の弧によっておよび前記ベース（２４）の突出壁（２６）によって画定される４つの四分円空間のそれぞれの中に１つずつある４つの容器（２３）を電気絶縁支持部（２０）がさらに含み、
容器（２３）の内部には前記ベース（２４）に面している開放面からアクセス可能である、請求項８または９記載のアンテナ。
【請求項１１】
電磁コア部分（１２）が、前述の容器（２３）の内部に据えられた磁性セメントまたは前述の容器（２３）の中に注入されたＰＢＭもしくはＰＢＳＭ材料または前記容器（２３）の中にあるフェライト部である、請求項１０記載のアンテナ。
【請求項１２】
突出壁（２６）が電磁コア部分（１２）の高さよりも大きい高さを有し、十字電磁コア（１１）のための筺体を画定している、請求項１０または１１記載のアンテナ。
【請求項１３】
電気絶縁支持部（２０）が、支持部にねじで留めるためのＺ軸と平行な方向の貫通穴を備えたタブ（２７）をその周辺部に有する、請求項８〜１２のいずれか１項記載のアンテナ。
【請求項１４】
電気絶縁支持部（２０）が、Ｘ軸巻線（ＤＸ）、Ｙ軸巻線（ＤＹ）およびＺ軸巻線（ＤＺ）を形成する導電性線の端部の接続を一体化する電気コネクタ（２８）を含む、請求項８〜１３のいずれか１項記載のアンテナ。
【請求項１５】
非導電性材料でできているオーバーモールド（３０）にアンテナが覆われている、請求項１〜１４のいずれか１項記載のアンテナ。
【請求項１６】
電気絶縁支持部（２０）が、電気絶縁支持部（２０）を巻取回転装置に連結するためのＺ軸と同心の接続構造（２９）をさらに含む、請求項８〜１５のいずれか１項記載のアンテナ。
【発明の詳細な説明】
【技術分野】
【０００１】
技術分野
本発明は、低姿勢三軸アンテナに関し、前記アンテナは、十字磁気コアを含み、その周囲には２本の導線の巻線が巻き付けられ、導線が前記電気絶縁コアに巻き付けられた状態で第三の巻線が前記磁気コアを囲み、その３本の巻線が互いに直角に低い高さで低姿勢構造に配置され、より小さい装置に組み込まれることを可能にする。
【０００２】
前記三軸アンテナは、Ｚ軸感度を最適化するように設計されている。
【０００３】
そのアンテナは、他にも用途がある中でもとりわけ仮想現実環境でのおよび自動車部門のための位置決めおよびトラッキング機能のために構想されている。本発明は、０．５Hz〜数MHzの周波数に適用可能ではあるが、低周波数で最適に動作する磁性材料が現在入手しやすいため、一般的に本発明は、将来的にはより高い動作周波数で適用される可能性があるものの、０．５Hz〜３００KHzの範囲内で機能する装置に無制限に適用される。
【０００４】
解決すべき技術的問題は、体積および重量を最小限に抑え、大量生産のための工業用組み立てソリューションを提供し、単位体積当たり最も大きな磁場を保護および生成することである。
【０００５】
現在の技術水準
その４本のアームの周囲に巻き付けられたＸ軸巻線およびＹ軸巻線だけでなく十字電磁コアの周囲に巻き付けられたＺ軸巻線も含む、十字電磁コアを含む、低姿勢三軸アンテナが特許文献ＵＳ７６１６１６６によって公知であり、前記巻線は、Ｘ軸、Ｙ軸およびＺ軸の周囲に互いに直角に巻かれている。
【０００６】
特許文献ＵＳ２００８００３６６７２も、このタイプのアンテナについて記述している。
【０００７】
このタイプのアンテナは、低姿勢構造だけでなく空間の３つの軸での放出および／または受信能力も与えるが、Ｘ軸およびＹ軸巻線の能力を増大させるためには、十字電磁コアの４本の交差しているアームの長さを増大させなければならず、同時にそれは、Ｚ軸巻線が前記十字電磁コアの中心部から離れることになるため、そして十字電磁コアの４つの四分円に対応する空の空間のサイズが増大するため、Ｚ軸巻線の放出および／または受信能力が減少するので問題を起こし、前記空の四分円は、Ｚ軸巻線のより大きい部分に隣接して配置される。
【０００８】
その結果、前記特許文献に記述されているアンテナを形成する要素を最適に提供するには、増大した放出および／または受信能力を得るためにアンテナの全ての寸法の大きさを一定の基準で決める必要があり、前記能力の減少を引き起こさないために厚さを減少させることが不可能になる。
【０００９】
発明の簡単な説明
本発明は、低姿勢三軸アンテナに関する。
【００１０】
三軸アンテナは、空間のＸ軸、Ｙ軸およびＺ軸の３つのうちいずれかで電磁信号の放出および受信の両方を行う能力を備えたアンテナであり、そのため前記空間でのアンテナの位置にかかわらず正確な放出および／または受信が可能である。
【００１１】
先に述べた特許文献によって現在の技術水準でそれ自体が公知であるように、提案されたアンテナは、下記を含む：
・  中心から突出してＸ軸と一直線に並んだ２本のＸ軸アームおよび前記中心から突出してＹ軸と一直線に並んだ２本のＹ軸アームを備え、Ｘ軸およびＹ軸が互いに垂直であり、中心から最も遠く離れているＸ軸アームおよびＹ軸アームの面が前端である、十字電磁コア；
・  ２本のＸ軸アームの周囲に巻き付けられた導電性線のＸ軸巻線；
・  ２本のＹ軸アームの周囲に巻き付けられた導電性線のＹ軸巻線；
・  Ｘ軸およびＹ軸に対して直角なＺ軸の周囲に巻き付けられた導電性線のＺ軸巻線であって、十字電磁コアを取り囲んで少なくとも部分的に前記前端に面している前記Ｚ軸巻線。
【００１２】
例として強磁性材料で完全にまたは部分的に構成されている十字電磁コアは、間が９０°の角度で離れていて２本ずつが一直線に並んだ４本のアームを有する対称な十字の形状を有する。
【００１３】
Ｘ軸巻線は、好ましくは同一の連続した導電性線によって、十字電磁コアの２本の向かい合ったアームの周囲に巻き付けられる。同様にＹ軸巻線も、好ましくは同一の連続した導電性線によって、十字電磁コアの他の２本のアームの周囲に巻き付けられる。
【００１４】
十字電磁コアのアーム間が９０°の角度で離れていることで、Ｘ軸巻線とＹ軸巻線との間の干渉が確実に最小限になる。
【００１５】
最後に、Ｚ軸巻線が前記４本のアームによって画定されるＸ軸およびＹ軸に対して直角なＺ軸の周囲に巻き付けられて、十字電磁コアの周辺部の周囲を取り囲み、前記Ｚ軸巻線の一部が４本のアームの前端に面している。
【００１６】
前述のＸ軸、Ｙ軸およびＺ軸巻線を電流が流れると電磁場ベクトルが各巻線のＸ軸、Ｙ軸およびＺ軸と同軸の電磁場が生成され、電磁場が前記Ｘ軸、Ｙ軸およびＺ軸巻線を流れると電流が前記巻線を通って生成される。
【００１７】
本発明は、今日まで知られていないやり方で、Ｘ軸アームと、隣接するＹ軸アームと、その前端間を走るＺ軸巻線（ＤＺ）の一部分との間に画定される四分円空間にそれぞれが少なくとも部分的に位置する４つの電磁コア部分を備えることをさらに提案する。
【００１８】
そのため、前記四分円空間のそれぞれは、Ｚ軸巻線で取り囲まれているが十字電磁コアのない、十字電磁コアの隣接するアーム間に存在する空間の中に位置するエリアである。前記四分円空間の中には、同じく十字電磁コアがなく、十字電磁コアの２本の隣接するアームの間に厳密に閉じ込められた空間のＺ軸の方向において上方および下方に位置する隣接エリアもあるものと理解される。
【００１９】
十字電磁コアおよび４つの電磁コア部分を組み立てることによって、Ｚ軸巻線と共同して働いてその放出および／または受信能力を増大させる複合電磁コアが作り出される。
【００２０】
前記複合電磁コアは、Ｘ軸およびＹ軸巻線の能力を向上させるために十字電磁コアの寸法を最適化することを可能にし、その一方で、Ｚ軸巻線の能力を向上させるためには、４つの四分円空間の中に位置する前記４つの電磁コア部分によって感度を最大で３０％増大させ、Ｚ軸巻線が前記複合電磁コアに対応する電磁ディスクの影響を受けるようにする。
【００２１】
その結果、低姿勢アンテナ（すなわち、Ｚ軸方向の高さが低いアンテナ）をその能力を減少させずに得ることができ、そのため公知のアンテナよりも必要な材料が少なく、したがって費用対効果がより高い。
【００２２】
提案された発明の１つの態様によると、４つの電磁コア部分は、Ｚ軸の方向において十字電磁コアの下方に配置される。これは、十字電磁コアが電磁コア部分の上方に突出して段を形成する、ということを意味する。これは、電磁コア部分の前記垂直の動きの結果として、電磁コア部分の干渉または遮蔽のためＸ軸およびＹ軸巻線の能力が減少するのを防ぐ。
【００２３】
４つの電磁コア部分それぞれのＺ軸に対して垂直な上面が十字電磁コアのＺ軸に対して垂直な下面と同一平面にあるようにして、十字電磁コア全体が磁気コア部分の上方に配置されるようにすることも提案されている。
【００２４】
もう一つの態様によると、４つの電磁コア部分のＺ軸と平行な方向の高さは、十字電磁コアのＺ軸と平行な方向の高さよりも小さいか、あるいは少なくとも５０％小さい。これは、十字電磁コアの厚さが電磁コア部分の厚さよりも大きく、好ましくは、十字電磁コアの厚さが電磁コア部分の厚さの少なくとも２倍である、ということを意味する。厚さは、Ｚ軸と平行な方向に測定した寸法の大きさのことを指すものと理解される。
【００２５】
好ましくは、十字電磁コアの幾何学的中心をＺ軸巻線の幾何学的中心と一致させて、アンテナの精密さを増大させてそのゲインおよびパフォーマンスを向上させる。
【００２６】
Ｚ軸巻線の厚さが十字電磁コアのＺ軸の方向の厚さよりも大きい時には、前記十字電磁コアは、前述のＺ軸巻線に対して中間の高さで中心を合わせる。
【００２７】
十字電磁コアが、互いに平行で高分子材料でできている物体によって互いに分離された強磁性要素であって、前記強磁性コアの中に平行な磁気トラックを画定する、柔軟性のある連続した強磁性要素を含む硬化高分子材料ででできている物体であることも提案されている。
【００２８】
あるいは、十字電磁コアがマイクロファイバー、微粒子もしくはナノ粒子の強磁性材料または純Ｆｅ、Ｆｅ３＋、Ｆｅカルボニル、Ｎｉカルボニル、Ｍｎ  Ｚｎフェライト、Ｍｎ  Ｎｉフェライト、Molypermalloy粉末、Ｆｅ  Ｎｉ、Ｍｏ−Ｆｅ  Ｎｉ、Ｃｏ−ＳｉまたはＦｅ−Ｎｉ  Ｚｎから選択した、Ｎｉ含有量が３０〜８０重量％でＭｏ、ＣｏまたはＳｉから選ばれた追加成分が１０重量％よりも少ない強磁性材料の形の強磁性要素を含む硬化高分子材料でできている物体である。
【００２９】
電磁コア部分にも適用可能な十字電磁コアのこれらの組成物は、同じ出願人の先の他の特許および出願で説明されているように、アンテナのゲインを向上させる。
【００３０】
また、前記電磁コア部分は、フェライトでできていてもよい。
【００３１】
もう一つの好ましい態様によると、電気絶縁支持部が複合電磁コアを少なくとも部分的に取り囲み、前記電気絶縁支持部がＺ軸巻線の少なくとも一部が巻き付けられている巻線トラックを含み、Ｚ軸巻線に対して前記十字電磁コアの位置を決めるために電磁コア支持部が備えられている。
【００３２】
そのため、前述の電気絶縁支持部は、前述の巻線トラック上でのＺ軸巻線の正確な位置決めを可能にするリールとしての役目を果たし、製造工程を容易にし、アンテナ組立品に対する十字電磁コアの正確な位置決めを可能にする電磁コア支持部をさらに提供する。
【００３３】
好ましくは、前述の電磁コア支持部は、Ｚ軸巻線に対して中間の高さで中心を合わせて十字電磁コアを保持するためのサイズに作られた支持フランジを含む。
【００３４】
好ましくは、電気絶縁支持部によって画定された巻線トラックは、十字電磁コアの周辺部全体に沿って連続していて、十字電磁コアの周囲のその形状は、例として、円形、楕円形、正方形、長方形または八角形から選択することができる。
【００３５】
それぞれがＺ軸に対して垂直なベースによって、巻線トラックの背部の弧によっておよび前記ベースの突出壁によって画定される４つの四分円空間のそれぞれの中に１つずつある４つの容器を電気絶縁支持部がさらに含み、容器の内部には、前記ベースに面している開放面からアクセス可能であり、巻線トラックの背部は、Ｚ軸巻線を支持する面と向かい合った面である、ということも考えられる。
【００３６】
電磁コア部分が前述の容器の内部に据えられた磁性セメントまたは前述の容器の中に注入されたＰＢＭもしくはＰＢＳＭ材料または前記容器の中にあるフェライト部であることが考えられる。このフィーチャは、アンテナの製造を容易にし、費用を下げ、一方でそれと同時にその構成部品の完璧な位置決めを確実にする。
【００３７】
容器の突出壁は、電磁コア部分の高さよりも大きい高さを有してもよく、十字電磁コアのための筺体を画定してもよい。
【００３８】
前記突出壁は、十字電磁コアを閉じ込め、組み立て中に所定位置にそれを保持することさえできる。
【００３９】
もう一つの態様によると、電気絶縁支持部は、支持部にねじで留めるためのＺ軸と平行な方向の貫通穴を備えたタブをその周辺部に沿って有する。これは、アンテナが送信アンテナであり、例として直径が８０mmと等しいまたはそれよりも大きいといった特定の寸法を超える時に特に有効である。
【００４０】
周辺エリア内のその壁に形成された、Ｘ軸巻線、Ｙ軸巻線およびＺ軸巻線を形成する導電性線の端部の接続を一体化する電気コネクタを電気絶縁支持部が含み、外部との接続を容易にする、ということも考えられる。そのため、前記巻線を形成する少なくとも６本の導線は、電気絶縁支持部に組み込まれたコネクタによってシンプルに素早く接続することができる。
【００４１】
アンテナを非導電性材料でオーバーモールドする、すなわち、その後の操作を防いでその部品を外部からの攻撃から守る材料と一体化させた後でアンテナを覆う、ということも考えられる。前記材料は、好ましくはプラスチックである。
【００４２】
また、前記電気絶縁支持部を巻取回転装置に連結するためのＺ軸と同心の接続構造を電気絶縁支持部が含むことが提案されている。換言すると、Ｚ軸と同心の前記接続構造によって、巻取回転装置を電気絶縁支持部に連結することができ、Ｚ軸の周りの回転が可能になり、それによってＺ軸巻線を巻線トラックの周囲に巻き付けることが容易になる。Ｚ軸と同心の前記接続構造は、例として、Ｚ軸と同心の穴であってもよい。
【００４３】
例えば、例として、平行、垂直、接している、などの幾何学的位置に関する言及は、前記専門語によって定義された理論上の位置に対して最大で±５°のずれが許されるものと理解される。
【００４４】
また、任意の与えられた値の範囲の限界値は、最適ではないことがあり、前記限界値が適用可能であるように発明を適応させる必要があることがあり、前記適応は、当業者が到達可能な範囲内であるものと理解される。
【００４５】
本発明の他のフィーチャは、下記の態様の詳細な説明で見られる。
【図面の簡単な説明】
【００４６】
上記および他の効果およびフィーチャは、例示的に無制限に解釈されなければならない添付図を参照しながら下記の態様の詳細な説明に基づいてより明確に理解され、その中で：
【図１】図１は、円形の巻線トラック付きの電気絶縁支持部を備え、保護オーバーモールドに加えて電気コネクタおよび支持部に固定するためのタブを一体化した、第１の態様による提案されたアンテナの分解組立図に対応する；
【図２】図２は、同じく円形の巻線トラック付きの電気絶縁支持部を備えるが、電気絶縁支持部の外側に電気コネクタを備え、電気絶縁支持部には固定タブおよび保護オーバーモールドがない、図１に示すものと非常に類似したもう一つの態様によって組み立てられた提案されたアンテナの斜視図に対応する；
【図３】図３は、図２に示す同じ態様の平面図に対応する；
【図４】図４は、八角形の巻線トラック付きの代替の変形態様の平面図である；
【図５】図５は、楕円形の巻線トラック付きのもう一つの代替の変形態様の平面図であり、十字電磁コアは、２本のアームが他の２本よりも長く、Ｘ軸巻線がＹ軸巻線よりも長い；
【図６】図６は、十字電磁コアのアームのうち１本と隣接する２つの電磁コア部分とを区分する平面に沿った、提案されたアンテナの横断面である；
【図７】図７は、電気絶縁支持部のないアンテナの変形態様の平面図であり、Ｚ軸巻線が十字電磁コアのアームの前端で直接支持されている。
【発明を実施するための形態】
【００４７】
態様の詳細な説明
添付図は、本発明の例示的で無制限な態様を示す。
【００４８】
図１は、提案されたアンテナの好ましい態様の分解組立図を示す。前記態様によると、そしてまた図２および３に示す態様によると、アンテナは、互いに直角な座標のＸ軸およびＹ軸に対して直角な座標のＺ軸と同心の円形の巻線トラック２１を有するリールの形の電気絶縁支持部２０からなる。
【００４９】
同じくＺ軸と同心の円形の形状を有するＺ軸巻線ＤＺは、前記巻線トラック２１に巻き付けられている。
【００５０】
図４は、巻線トラックが八角形である代替を示し、図５は、前記トラックが楕円形である代替を示す。
【００５１】
巻線トラック２１は、それぞれフランジが付いたその２つのへりで区切られており、それによってＺ軸巻線ＤＺを閉じ込め、偶発的な動きを防ぎ、製造中の正確で精密な位置決めを容易にすることが可能になる。
【００５２】
本態様の電気絶縁支持部２０は、前記Ｚ軸に対して垂直なベースをさらに含み、その中心には、Ｚ軸巻線ＤＺを巻き付ける動作中に制御された速度で電気絶縁支持部２０が自動的に回転することを可能にする巻取回転装置（図示せず）が接続される接続構造２９としてのＺ軸と同心の穴が構想されている。
【００５３】
電気絶縁支持部２０の巻線トラック２１の背部２５に取り囲まれた空間には、Ｚ軸と平行な方向に突出している８つの突出壁２６が含まれ、それらのうち４つは、Ｘ軸と平行な方向に沿って伸びて２つずつが互いに面しており、他の４つは、Ｙ軸と平行な方向に沿って伸びて同じく２つずつが互いに面している。８つの突出壁２６のそれぞれは、一端が巻線トラック２１の背部２５に、他端が他の垂直な突出壁２６のうちの別の１つにつながれて、角を形成している。
【００５４】
前記構造は、４つの容器２３を画定し、そのそれぞれは、互いに接続された２つの垂直な突出壁２６、前記２つの突出壁２６をつなぐ巻線トラック２１の背部２５の一部分および電気絶縁支持部２０のベースの一部であるベース２４によって画定されている。
【００５５】
前記容器２３のそれぞれは、電磁コア部分１２を格納するために構想されている。各容器２３は、図１、２および３に示す態様による円筒形の領域の形状を有し、十字の十字電磁コア１１を格納するのに好適な十字の障害物のない空間が４つの容器２３の間に配置されている。
【００５６】
本態様のベースであり容器２３の底に存在するベース２４よりも大きい厚さを有する電磁コア支持部２２は、前述の十字の障害物のない空間内に位置し、それによって、前記空間に格納された十字電磁コア１１が容器２３に格納された電磁コア部分１２の上に確実に配置される。
【００５７】
好ましくは、４つの容器２３は、流体の磁性セメントをそれらの中に流し込んで、その後、前述の容器２３の内部にそれを据えることによって、あるいは、後で固まるＰＢＭまたはＰＢＳＭ材料を前記容器２３の中に注入することによって、電磁コア部分１２を製造するための型として使用されるが、電磁コア部分１２が単に容器２３の内部に格納されたフェライト部であることも考えられる。
【００５８】
次に、十字電磁コア１１は、２本がＸ軸の方向に、２本がＹ軸の方向にコアから半径方向に伸びる４本のアームからなり、各アームは、前端１３で終わっている。
【００５９】
導電性線のＸ軸巻線ＤＸは、Ｘ軸の方向に伸びるアームの周囲を包み、Ｙ軸巻線ＤＹは、Ｙ軸の方向に伸びるアームの周囲を包んでいる。
【００６０】
十字電磁コア１１は、電気絶縁支持部２０の中に挿入され、電磁コア支持部２２で支持され、突出壁２６の間に閉じ込められ、前記十字電磁コア１１は、Ｚ軸巻線に対して中心を合わせられ、筺体２３内に配置された電磁コア部分１２の上面の上に位置する。
【００６１】
好ましくは、Ｚ軸と平行な方向の電磁コア部分１２の厚さは、Ｚ軸の方向の十字電磁コア１１の厚さの半分または半分よりも小さい。
【００６２】
前記十字電磁コア１１および電磁コア部分１２は、単一の複合電磁コア１０として一体となって働き、Ｚ軸巻線ＤＺの効率を大きく向上させる。
【００６３】
Ｘ軸巻線ＤＸ、Ｙ軸巻線ＤＹおよびＺ軸巻線ＤＺを形成する導電性線の端部は、導電性線の端部の前記接続を一体化する電気コネクタ２８まで導かれ、アンテナの外側の回路への接続を容易にする。
【００６４】
場合により、そして、アンテナが所与の直径よりも大きい、例として例えば８０mmよりも大きい、送信アンテナである場合には、電気絶縁支持部は、支持部にねじで留めるためのＺ軸と平行な方向の貫通穴を備えたタブ２７も含んでいてもよい。
【００６５】
オーバーモールド３０として電気絶縁材料、例として例えばプラスチック、でアンテナ組立品を覆い、アンテナの部品を保護し、それらの位置が動かないようにするということも考えられる。
【００６６】
例えば、巻線トラック２１が例として八角形または四角形の外形を有し、容器２３が円筒形の領域ではなくむしろ例として立方体または面取りした立方体の形状を有するようにする、というバージョンなど、他の代替態様も考えられる。図５は、十字電磁コア１１の２本のアームがさらに他の２本のアームよりも長い、楕円形の巻線トラック２３付きの代替を示す。この構造は、Ｙ軸巻線の放出および／または受信能力とは異なる、Ｘ軸巻線の増大した放出および／または受信能力を得ることを可能にし、それは、特定の用途では有効である可能性がある。
【００６７】
あるいは、例として、図７に示すように、十字電磁コア１１の前端１３にＺ軸巻線ＤＺを直接巻き付けることによって、電気絶縁支持部２０の非存在で提案されたアンテナを作ることができる、ということが構想される。その後のオーバーモールドは、複合電磁コア１０に組み込まれた要素をそれぞれの位置に保つのに役立つであろう。
【００６８】
たとえ組み合わせが明示的に記述されていなくても、その組み合わせに欠点がないのであれば、１つの態様に記述されている本発明を形成する異なる部品を他の異なる態様に記述されている部品と自由に組み合わせることができるものと理解される。
【図１】
2018201199.tif 000003
【図２】
2018201199.tif 000004
【図３】
2018201199.tif 000005
【図４】
2018201199.tif 000006
【図５】
2018201199.tif 000007
【図６】
2018201199.tif 000008
【図７】
2018201199.tif 000009
【外国語明細書】
2018201199000001.pdf